(57)【要約】【課題】様々な災害に関する情報を災害の発生した場所に居る者に知らせることができるようにする。【解決手段】携帯電話機１０は、移動電話システムの基地局と通信を行う第１通信部１０７と、防災無線システムの防災無線基地局から送信された防災無線信号を受信する第２通信部１０８とを備えている。第２通信部１０８は、防災無線信号を受信すると、受信した防災無線信号が表す情報をデジタルデータに変換して表示ドライバ部１１０へ出力する。表示ドライバ部１１０の制御回路１１０Ａは、デジタルデータを解析し、デジタルデータが表す情報を表示するための表示データを生成してメモリ１１０Ｄに記憶させる。制御回路１１０Ａは、表示データに従って走査線駆動回路１１０Ｂおよびデータ線駆動回路１１０Ｃを制御すると共にバックライトを点灯させ、表示データが表す情報を表示部１１１に表示させる。【選択図】図２
2008011060.tif 000002
【特許請求の範囲】
【請求項１】
情報の表示を行う表示手段と、
所定の周波数帯域の無線信号を受信する受信手段と、
前記受信手段により受信された無線信号が表す情報を表示するための表示データを生成するデータ生成手段と、
前記データ生成手段により生成された表示データに従って前記表示手段を制御し、該表示データが表す情報を前記表示手段に表示させる制御手段と
を有し、
前記各手段が一体化されていることを特徴とする表示装置。
【請求項２】
前記無線信号を受信するためのアンテナが前記表示手段に一体化されていることを特徴とする請求項１に記載の表示装置。
【請求項３】
請求項１または請求項２に記載の表示装置を有する電子機器。
【請求項４】
請求項３に記載の電子機器であって、
前記電子機器と前記表示装置とを駆動する電源と、
前記電源から供給される電力を、前記電子機器と前記表示手段と前記データ生成手段と前記制御手段とに供給していない場合、前記受信手段により前記無線信号が受信されると、前記電源からの電力を前記表示手段と前記データ生成手段と前記制御手段とに供給する電力供給手段と
を有することを特徴とする電子機器。
【請求項５】
請求項３に記載の電子機器であって、
前記電子機器と前記表示装置とを駆動する電源と、
前記電源から供給される電力を、前記電子機器と前記表示手段と前記データ生成手段と前記制御手段とに供給していない場合、前記受信手段に間欠的に電力を供給し、前記受信手段に電力を供給しているときに前記受信手段により前記無線信号が受信されると、前記電源からの電力を前記表示手段と前記データ生成手段と前記制御手段とに供給する電力供給手段と
を有することを特徴とする電子機器。
【請求項６】
音声を表す信号を他の装置へ出力する音声信号出力手段を有し、
前記音声信号出力手段により音声を表す信号が出力されているときに前記受信手段により前記無線信号が受信されると、前記音声を表す信号の出力を停止すること
を特徴とする請求項３に記載の電子機器。
【請求項７】
前記無線信号が表す情報は音声を示す情報を含み、
前記受信手段により受信された情報が示す音声を表す信号を他の装置へ出力する音声信号出力手段を有すること
を特徴とする請求項３に記載の電子機器。
【発明の詳細な説明】
【技術分野】
【０００１】
本発明は、災害に関する情報を報知する技術に関する。
【背景技術】
【０００２】
火災等の災害が発生したことを知らせる装置としては、例えば、特許文献１に開示された表示装置がある。特許文献１に開示された表示装置は、ビル内に設置されたセンサからの信号を受けると、災害が発生したことを液晶画面で報知する。
【特許文献１】特開平５−２９８５８０号公報
【発明の開示】
【発明が解決しようとする課題】
【０００３】
ところで、災害としては火災だけでなく、台風、洪水、津波等、様々な災害がある。特許文献１に開示されている表示装置の場合、報知できる災害の種類は、センサがどのような災害を検知できるかによって決まってしまうため、センサが対応していない災害については、発生しても報知することができないという問題がある。また、特許文献１に開示されている表示装置の場合、災害を検知するセンサが必須であるため、センサとの接続ができない場所では、災害が発生したことを知らせる信号を受けることができず、災害の発生を知ることができないという問題がある。
【０００４】
本発明は、上述した背景の下になされたものであり、その目的は、様々な災害に関する情報を災害の発生した場所に居る者に知らせることができるようにすることにある。
【課題を解決するための手段】
【０００５】
上述した課題を解決するために本発明は、情報の表示を行う表示手段と、所定の周波数帯域の無線信号を受信する受信手段と、前記受信手段により受信された無線信号が表す情報を表示するための表示データを生成するデータ生成手段と、前記データ生成手段により生成された表示データに従って前記表示手段を制御し、該表示データが表す情報を前記表示手段に表示させる制御手段とを有し、前記各手段が一体化されていることを特徴とする表示装置を提供する。
この態様においては、前記無線信号を受信するためのアンテナが前記表示手段に一体化されていてもよい。
【０００６】
また、本発明は、情報の表示を行う表示手段と、災害に関する情報を表す無線信号を受信する受信手段と、前記受信手段により受信された無線信号が表す情報を表示するための表示データを生成するデータ生成手段と、前記データ生成手段により生成された表示データに従って前記表示手段を制御し、該表示データが表す情報を前記表示手段に表示させる制御手段とを有し、前記各手段が一体化されていることを特徴とする表示装置を有する電子機器を提供する。
この態様においては、電子機器は、前記電子機器と前記表示装置とを駆動する電源と、前記電源から供給される電力を、前記電子機器と前記表示手段と前記データ生成手段と前記制御手段とに供給していない場合、前記受信手段により前記無線信号が受信されると、前記電源からの電力を前記表示手段と前記データ生成手段と前記制御手段とに供給する電力供給手段とを有するようにしてもよい。
また、この態様においては、前記電子機器と前記表示装置とを駆動する電源と、前記電源から供給される電力を、前記電子機器と前記表示手段と前記データ生成手段と前記制御手段とに供給していない場合、前記受信手段に間欠的に電力を供給し、前記受信手段に電力を供給しているときに前記受信手段により前記無線信号が受信されると、前記電源からの電力を前記表示手段と前記データ生成手段と前記制御手段とに供給する電力供給手段とを有するようにしてもよい。
また、音声を表す信号を他の装置へ出力する音声信号出力手段を有し、前記音声信号出力手段により音声を表す信号が出力されているときに前記受信手段により前記無線信号が受信されると、前記音声を表す信号の出力を停止するようにしてもよい。
また、前記無線信号が表す情報は音声を示す情報を含み、前記受信手段により受信された情報が示す音声を表す信号を他の装置へ出力する音声信号出力手段を有するようにしてもよい。
【発明を実施するための最良の形態】
【０００７】
［実施形態の構成］
図１は、本発明の実施形態に係るシステムの全体構成を示した図である。
県や市町村等の自治体が有する防災無線システム２０は、県や市町村内で発生した災害に関する情報を防災無線システム２０の通信エリア内にいる者に提供するシステムである。中央装置２１は、ユーザの操作に従って災害に関する各種情報の生成や、生成した各種情報の加工を行うコンピュータ装置である。中央装置２１は、防災無線基地局２２Ａ〜２２Ｃに接続されており、災害に関する各種情報を防災無線基地局２２Ａ〜２２Ｃへ送信する。防災無線基地局２２Ａ〜２２Ｃは、県内や市町村内の定められた場所に設置されており、中央装置２１から送信された災害に関する各種情報を無線信号に変換して出力する。この出力された無線信号は、無線信号を受信可能な端末装置（図示略）により受信される。端末装置は、防災無線基地局から送信された無線信号を受信し、受信した無線信号が表す各種情報を表示する。なお、各防災無線基地局が出力する防災無線信号の周波数帯域は、移動電話システム３０の基地局３２Ａ〜３２Ｃが無線通信で使用する周波数帯域とは異なる周波数帯域となっている。また、防災無線システム２０においては多数の防災無線基地局が中央装置２１に接続されているが、図面が煩雑になるのを防ぐために図１においては３つの防災無線基地局のみを示している。
【０００８】
固定電話網４０は、固定電話網４０を運用する通信事業者との間で加入契約を結んだ加入契約者に対して音声通話サービスを提供する通信網である。固定電話網４０は、家庭やオフィスに設置されている固定電話（図示略）と、移動電話網３１に接続されている。
【０００９】
移動電話システム３０は、移動電話システム３０を運用する通信事業者との間で加入契約を結んだ加入契約者に対して音声通話サービスやデータ通信サービスを提供するシステムである。この移動電話システム３０は、携帯電話機１０と無線通信を行う基地局３２Ａ〜３２Ｃと、基地局と交換機とに接続され基地局を制御する基地局制御装置（図示略）、基地局制御装置に接続された交換機（図示略）、交換機と固定電話網４０とを接続する関門交換機（図示略）、関門交換機とインターネット５０とを接続するゲートウェイサーバ装置（図示略）とからなる移動電話網３１とから構成されている。移動電話システム３０は、基地局３２Ａ〜３２Ｃの無線通信エリア内にある携帯電話機同士が行う音声通信や、移動電話網３１と固定電話網４０とを介して携帯電話機と固定電話との間で行われる音声通信、移動電話網３１とインターネット５０とを介して携帯電話機とインターネット５０に接続された各種装置との間で行われるデータ通信を中継する。なお、移動電話システム３０においては多数の基地局が移動電話網３１に接続されているが、図面が煩雑になるのを防ぐために図１においては３つの基地局のみを示している。
【００１０】
携帯電話機１０は、移動電話システム３０を介して他の携帯電話機や固定電話と音声通信を行う機能や、移動電話システム３０を介してデータ通信を行い電子メールを送受信する機能、インターネット５０からＷｅｂページを取得して閲覧する機能等を備えている。また、携帯電話機１０は、防災無線基地局２２Ａ〜２２Ｃから送信された災害に関する情報を受信する機能を備えている。
【００１１】
図２は、携帯電話機１０のハードウェア構成を示したブロック図である。図２に示したように、表示ドライバ部１１０と表示部１１１とを除く各部はバス１０１に接続されており、バス１０１に接続されている各部は、バス１０１を介して各種情報やデータを授受する。
操作部１０６は、電源の入／切を行う時に使用される電源キー、電話をかける時や電話を受ける時に使用される開始キーや、テンキー、メニュー画面の操作を行う時などに使用される矢印キー等、携帯電話機１０を操作するための各種キーを備えている。ユーザがこれらの各種キーを操作することにより、携帯電話機１０に対する各種指示の入力や携帯電話機の各種設定が行われる。
【００１２】
第１通信部１０７は、音声通信やデータ通信を行う通信インターフェースとして機能し、ＣＰＵ（Central Processing Unit）１０２の制御の下、アンテナ１０７Ａを介して、移動電話システム３０の基地局との間で無線通信を行う。第１通信部１０７は、後述する音声処理部１１２から出力される音声信号を無線信号に変換して移動電話システム３０の基地局へ出力する一方、基地局から送信された無線信号を受信し、受信した信号が音声を表す信号である場合には、音声を表す音声信号を音声処理部１１２へ出力して音声通信を行う。
【００１３】
第２通信部１０８は、防災無線システム２０の防災無線基地局から送信される防災無線信号を受信する通信インターフェースとして機能し、防災無線信号をアンテナ１０８Ａを介して受信する。第２通信部１０８は、防災無線基地局２２Ａ〜２２Ｃのいずれかから送信された防災無線信号を受信すると、防災無線信号が表す情報をデジタルデータに変換し、ＣＰＵ１０２と表示ドライバ部１１０へ出力する。
【００１４】
音声処理部１１２は、マイクロホンおよびスピーカ（いずれも図示略）を備えている。音声処理部１１２は、マイクロホンに入力された音声を表す音声信号を第１通信部１０７へ出力する一方、第１通信部１０７から出力された音声信号が表す音声をスピーカから出力する。
【００１５】
表示部１１１は、バックライトを具備した液晶ディスプレイを備えており、表示ドライバ部１１０の制御の下、文字やグラフィック画面、携帯電話機１０を操作するための各種メニュー画面等を表示する。表示コントロール部１０９は、表示部１１１に表示させる文字やグラフィック画面を表す表示データを生成するものであり、ＣＰＵ１０２の制御の下、表示データを表示コントロール部１０９が備えるメモリ１０９Ａに格納する。そして、メモリ１０９Ａに格納された表示データを表示ドライバ部１１０へ出力する。
【００１６】
表示ドライバ部１１０は、表示データを格納するメモリ１１０Ｄと、表示部１１１が備える液晶ディスプレイの走査線を駆動する走査線駆動回路１１０Ｂと、液晶ディスプレイのデータ線を駆動するデータ線駆動回路１１０Ｃと、走査線駆動回路１１０Ｂおよびデータ線駆動回路１１０Ｃとを制御する制御回路１１０Ａとを備えている。制御回路１１０Ａは、表示コントロール部１０９に接続されており、表示コントロール部１０９から供給される表示データをメモリ１１０Ｄに記憶させる。そして、液晶ディスプレイのバックライトを点灯させると共に、走査線駆動回路１１０Ｂとデータ線駆動回路１１０Ｃとを制御し、メモリ１１０Ｄに格納された表示データが表す画像を表示部１１１に表示させる。また、制御回路１１０Ａは第２通信部１０８に接続されており、第２通信部１０８から出力されたデジタルデータが入力される。制御回路１１０Ａは、入力されたデジタルデータを解析し、デジタルデータが表す情報を表示するための表示データを生成してメモリ１１０Ｄに記憶させる。そして、走査線駆動回路１１０Ｂと、データ線駆動回路１１０Ｃとを制御し、メモリ１１０Ｄに格納された表示データが表す情報を表示部１１１に表示させる。
【００１７】
記憶部１０５は不揮発性メモリを具備しており、携帯電話機１０を動作させるために必要となる各種制御用データや、ユーザの操作により記憶された電話番号や電子メールアドレス等の各種データ等を記憶する。ＲＯＭ１０３は、携帯電話機１０の各部を制御するための制御プログラムを記憶している。ＣＰＵ１０２はＲＯＭ１０３から制御プログラムを読み出して実行する。ＣＰＵ１０２により制御プログラムが実行されると、制御プログラムに従って携帯電話機１０の各部が制御されて各種機能が実現する。
なお、携帯電話機１０においては、電源が「入」になっている場合には、電源から携帯電話機１０の各部に電力が供給され、電源が「切」になっている場合には、第２通信部１０８と、表示ドライバ部１１０と、ＣＰＵ１０２とに電力が供給される。
【００１８】
［実施形態の動作］
次に、本実施形態の動作について説明する。
［待ち受け時の動作］
まず、携帯電話機１０の電源が投入されており、携帯電話機１０が音声通信およびデータ通信のいずれも行っていない待ち受け状態である時の動作について説明する。
【００１９】
防災無線システム２０が運用されている市町村内で、例えば大きな地震が発生した場合、中央装置２１が操作され、地震の発生を知らせるメッセージを表す情報と、災害への注意を促すメッセージを表す情報とが生成される。そして、中央装置２１が操作され、生成された情報が中央装置２１から防災無線基地局２２Ａ〜２２Ｃへ送られる。各防災無線基地局は、中央装置２１から送られた情報を受け取ると、受け取った情報を防災無線信号に変換して出力する。
【００２０】
ここで、携帯電話機１０を所持しているユーザが、防災無線基地局２２Ａから出力された防災無線信号が届く範囲にいると、防災無線信号が携帯電話機１０の第２通信部１０８により受信される。第２通信部１０８は、防災無線信号を受信すると（図３：ステップＳＡ１；ＹＥＳ）、受信した防災無線信号が表す情報（地震の発生を知らせるメッセージおよび災害への注意を促すメッセージ）をデジタルデータに変換し（ステップＳＡ２）、ＣＰＵ１０２および表示ドライバ部１１０へ出力する。
【００２１】
第２通信部１０８から出力されたデジタルデータは、表示ドライバ部１１０の制御回路１１０Ａに入力される。制御回路１１０Ａは、入力されたデジタルデータを解析し、デジタルデータが表す情報、即ち、地震の発生を知らせるメッセージと、災害への注意を促すメッセージとを表示するための表示データを生成して（ステップＳＡ３）メモリ１１０Ｄに記憶させる。制御回路１１０Ａは、表示データの記憶が終了すると、表示データに従って走査線駆動回路１１０Ｂおよびデータ線駆動回路１１０Ｃを制御する（ステップＳＡ４）と共にバックライトを点灯させ（ステップＳＡ５）、メモリ１１０Ｄに格納された表示データが表す情報を表示部１１１に表示させる。これにより、表示部１１１には、図４に示したように、地震の発生を知らせるメッセージと、災害への注意を促すメッセージとが表示される。
【００２２】
［音声通信中の動作］
次に、携帯電話機１０が音声通信を行っている時の動作について説明する。
携帯電話機１０にて音声通信が行われていると、図５に示したように、音声通信中であることを示す画面が表示部１１１に表示される。ここで、地震が発生し、中央装置２１において、地震の発生を知らせるメッセージを表す情報、および災害への注意を促すメッセージを表す情報とが生成されると、生成された情報が、防災無線基地局２２Ａ〜２２Ｃから防災無線信号に変換されて出力される。
【００２３】
防災無線基地局２２Ａから出力された防災無線信号が携帯電話機１０の第２通信部１０８により受信されると（ステップＳＡ１）、第２通信部１０８は、受信した防災無線信号が表す情報（地震の発生を知らせるメッセージおよび災害への注意を促すメッセージ）をデジタルデータに変換し（ステップＳＡ２）、ＣＰＵ１０２および表示ドライバ部１１０へ出力する。
【００２４】
制御回路１１０Ａは、入力されたデジタルデータを解析し、デジタルデータが表す情報、即ち、地震の発生を知らせるメッセージと、災害への注意を促すメッセージとを表示するための表示データを生成して（ステップＳＡ３）メモリ１１０Ｄに記憶させる。制御回路１１０Ａは、表示データの記憶が終了すると、表示データに従って走査線駆動回路１１０Ｂおよびデータ線駆動回路１１０Ｃを制御する（ステップＳＡ４）と共にバックライトを点灯させ（ステップＳＡ５）、メモリ１１０Ｄに格納された表示データが表す情報を表示部１１１に表示させる。これにより、表示部１１１には、図４に示したように、地震の発生を知らせるメッセージと、災害への注意を促すメッセージとが表示される。
【００２５】
携帯電話機１０のユーザが音声通話を終了して表示部１１１を見ると、表示部１１１に図４に示したメッセージが表示されているので、地震の発生を知ることができる。なお、ＣＰＵ１０２は、第２通信部１０８から出力されたデジタルデータを受け取ると、第１通信部１０７を制御して音声通信を停止するようにしてもよい。
【００２６】
［電源が「切」にされている時の動作］
次に、携帯電話機１０の電源が「切」にされている時の動作について説明する。なお、地震が発生した後、各防災無線基地局から防災無線信号が出力されるまでの動作は上述した動作と同じであるので、その説明を省略する。
【００２７】
防災無線基地局２２Ａから出力された防災無線信号が携帯電話機１０の第２通信部１０８によって受信されると（図６：ステップＳＢ１）、第２通信部１０８は、受信した防災無線信号が表す情報（地震の発生を知らせるメッセージおよび災害への注意を促すメッセージ）をデジタルデータに変換し（ステップＳＢ２）、ＣＰＵ１０２および表示ドライバ部１１０へ出力する。ＣＰＵ１０２は、表示ドライバ部１１０から出力されたデジタルデータを受け取ると、表示部１１１に電力が供給されるように図示せぬ電源を制御する（ステップＳＢ３）。一方、制御回路１１０Ａは、第２通信部１０８から出力されたデジタルデータを受け取ると、デジタルデータを解析し、デジタルデータが表す情報、即ち、地震の発生を知らせるメッセージと、災害への注意を促すメッセージとを表示するための表示データを生成して（ステップＳＢ４）メモリ１１０Ｄに記憶させる。制御回路１１０Ａは、表示データの記憶が終了すると、表示データに従って走査線駆動回路１１０Ｂおよびデータ線駆動回路１１０Ｃを制御する（ステップＳＢ５）と共にバックライトを点灯させ（ステップＳＢ６）、メモリ１１０Ｄに格納された表示データが表す情報を表示部１１１に表示させる。これにより、表示部１１１には図４に示したように、地震の発生を知らせるメッセージと、災害への注意を促すメッセージとが表示される。
【００２８】
このように、本実施形態によれば、携帯電話機１０は、電源が「切」となっている状態で防災無線信号を受信しても、災害に関する情報を表示する。また、本実施形態では、電源が「切」となっている状態で防災無線信号を受信すると、情報を表示するのに必要となる部分にのみ電力が供給されるので、携帯電話機１０の各部に電力を供給する場合と比較して電力の消費を抑えることができる。なお、本実施形態においては、制御回路１１０Ａに電源を制御する回路を設け、第２通信部１０８から出力されたデジタルデータを制御回路１１０Ａが受け取ると、制御回路１１０Ａが電源を制御して表示部１１１に電力を供給するようにしてもよい。また、本実施形態においては、電源を制御する電源制御回路を設け、電源が「切」となっている状態では、第２通信部１０８に電力を供給する一方、表示ドライバ部１１０と表示部１１１には電力を供給せず、第２通信部１０８で防災無線信号が受信された場合、表示ドライバ部１１０と表示部１１１とに電源制御回路によって電力を供給して表示を行うようにしてもよい。この場合、表示ドライバ部１１と表示部１１１以外には電力を供給しないようにするのが好ましい。
また、電源が「切」となっている状態では電源から各部への電力の供給を停止する状態と、電源から第２通信部１０８にのみ電力を供給する状態とを交互に繰り返すようにしてもよい。そして、第２通信部１０８にのみ電力が供給されている時に防災無線信号を受信すると、上述したように、表示ドライバ部１１０と表示部１１１とに電源制御回路によって電力を供給して表示を行うようにしてもよい。
【００２９】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００３０】
文字やグラフィック等を表示するための装置は、液晶ディスプレイに限定されるものではなく、ＥＬ（electro-luminescence）ディスプレイであってもよい。
【００３１】
携帯電話機１０に振動モータを設け、防災無線信号を受信した時には、振動モータを制御して携帯電話機１０を振動させるようにしてもよい。また、携帯電話機１０は、防災無線信号を受信した時には、音声処理部１１２を制御して、防災無線信号を受信したことを報知する報知音をスピーカから出力するようにしてもよい。
【００３２】
上述した実施形態においては、中央装置２１は、地震の震度に関する情報を送るようにしてもよい。また、中央装置２１は、地震に関する情報に限らず、大雨、大雪、洪水、土砂災害、津波、火災、雷等の情報を送るようにしてもよい。また、中央装置２１は、避難場所に関する情報を送るようにしてもよい。
【００３３】
災害に関する音声メッセージを表す音声データを中央装置２１から各防災無線基地局へ送り、各防災無線基地局から音声データを表す防災無線信号を出力するようにしてもよい。そして、携帯電話機１０は、第２通信部１０８でこの信号を受信し、受信した信号が表す音声データを音声処理部１１２で処理して災害に関する音声メッセージをスピーカから出力するようにしてもよい。また、この態様においては、携帯電話機１０が音声通信中である場合には、音声メッセージが表す音声の信号を第１通信部１０７へ送り、音声通信の通信相手へ音声メッセージを送るようにしてもよい。この態様によれば、音声通信の相手は、通信相手が災害発生地にいることを知ることができる。
【００３４】
上述した実施形態においては、携帯電話機１０は、防災無線信号を受信して図４に示した画面を表示している場合でも、発呼を行えるようにしてもよい。また、携帯電話機１０は、防災無線信号を受信して図４に示した画面を表示している時に発呼を行った場合、図４に示した画面を継続して表示するようにしてもよい。また、携帯電話機１０は、発呼を行って通信相手と通信回線が接続された場合、ユーザの音声の送信を停止し、上述した音声メッセージを通信相手へ送るようにしてもよい。また、携帯電話機１０は、図４に示した画面を表示している場合に他の電話からの着信を受けた場合には、図４に示した画面を表示したまま通信回線を接続するようにしてもよい。また、携帯電話機１０は、図４に示した画面を表示している場合には、通信回線を接続しないようにしてもよい。
【００３５】
防災無線信号を受信するためのアンテナ１０８Ａは、第２通信部１０８以外に設けるようにしてもよい。例えば、表示部１１１の液晶ディスプレイは、図７に示したように複数のデータ線と走査線とが交差する表示領域の周辺にデータ線駆動回路１１０Ｃと走査線駆動回路１１０Ｂとが設けられているが、図７に示したように、表示領域およびデータ線駆動回路１１０Ｃと走査線駆動回路１１０Ｂの外側にループ状にアンテナ１０８Ａを設けるようにしてもよい。また、ループ状にアンテナを設けるのではなく、表示領域の一辺に沿ってアンテナを設けるようにしたり、２つまたは３つの辺に沿ってアンテナを設けるようにしてもよい。また、この態様においては、受信された防災無線信号から該防災無線信号が表す情報のデジタルデータを生成する第２通信部１０８を表示ドライバ部１１０に設けるようにしてもよい。また、第２通信部１０８と、アンテナ１０８Ａと、表示ドライバ部１１０と、表示部１１１とをモジュール化してもよく、また、第２通信部１０８と、アンテナ１０８Ａと、表示ドライバ部１１０とのみをモジュール化し、表示部１１１は別のモジュールとするようにしてもよい。
【００３６】
上述した第２通信部１０８と表示ドライバ部１１０とを、ＰＤＡ（Personal Digital Assistants）や、ノート型のパーソナルコンピュータ装置、ＧＰＳ（Global Positioning System）端末、腕時計等、持ち運びが可能であって液晶ディスプレイ等の表示装置を備えた装置に設けるようにしてもよい。
【００３７】
第２通信部１０８から出力されるデジタルデータを表示コントロール部１０９に入力し、表示コントロール部１０９が、デジタルデータを解析し、デジタルデータが表す情報を表示するための表示データを生成してメモリ１０９Ａに格納し、格納した表示データを表示ドライバ部１１０へ出力して表示データが表す情報を表示部１１１に表示させるようにしてもよい。
【００３８】
上述した実施形態においては、携帯電話機１０は、受信できる防災無線信号の種類や、表示する情報の一覧等を表示部１１１に表示するようにしてもよい。
【図面の簡単な説明】
【００３９】
【図１】本発明の一実施形態に係るシステムの全体構成を示した図である。
【図２】同実施形態に係る携帯電話機１０のハードウェア構成を示した図である。
【図３】同携帯電話機１０にて行われる処理の流れを示したフローチャートである。
【図４】同携帯電話機１０にて表示される画面を例示した図である。
【図５】同携帯電話機１０にて表示される画面を例示した図である。
【図６】同携帯電話機１０にて行われる処理の流れを示したフローチャートである。
【図７】本実施形態の変形例を説明するための図である。
【符号の説明】
【００４０】
１０・・・携帯電話機、２０・・・防災無線システム、２１・・・中央装置、２２Ａ〜２２Ｃ・・・防災無線基地局、３０・・・移動電話システム、３１・・・移動電話網、３２Ａ〜３２Ｃ・・・基地局、４０・・・固定電話網、５０・・・インターネット、１０１・・・バス、１０２・・・ＣＰＵ、１０３・・・ＲＯＭ、１０４・・・ＲＡＭ、１０５・・・記憶部、１０６・・・操作部、１０７・・・第１通信部、１０８・・・第２通信部、１０８Ａ・・・アンテナ、１０９・・・表示コントロール部、１１０・・・表示ドライバ部、１１０Ａ・・・制御回路、１１０Ｂ・・・走査線駆動回路、１１０Ｃ・・・データ線駆動回路、１１０Ｄ・・・メモリ、１１１・・・表示部、１１２・・・音声処理部
【図１】
2008011060.tif 000003
【図２】
2008011060.tif 000004
【図３】
2008011060.tif 000005
【図４】
2008011060.tif 000006
【図５】
2008011060.tif 000007
【図６】
2008011060.tif 000008
【図７】
2008011060.tif 000009